(57)【要約】  ゴルフクラブ（１００）のヘッドの競技配向を調節するシステムおよび方法が開示される。垂直面（１３２）に対するシャフト（１３０）の軸の調節は、現行の全米ゴルフ協会（ＵＳＧＡ）の競技規則および提案される変更へ適合するように、最小および最大の限界内に制限される。これらの規制範囲内での微調節は、容易になされず、調節可能部分はすべてしっかりと固定されるので、ラウンド中に緩むことの合理的な可能性がない。クラブに対する調節は、規定のラウンド中、クラブの競技特性が調節または他の任意の手段によって故意に変更され得ないように構成される。
2017525547.tif 000002
【特許請求の範囲】
【請求項１】
ゴルフクラブシャフトおよびクラブヘッドを備える調節可能なゴルフクラブであって、
前記クラブヘッドは、中空本体と、保持板と、ロッカー部材と、ライアジャスタとを備え、
前記中空本体は、前記本体の底面がキャビティの前記中空本体との上側境界限度を画定し、前記本体の上面は、開口を有するクラウンを提供し、前記開口が前記クラウンに配置され、前記クラブシャフトの近位端が開口を通って突出可能であり、
前記保持板は、前記本体に取り付けられ、前記板の上面は前記キャビティの前記中空本体との下側境界限度を画定し、前記板の底面はソールを提供し、
前記ロッカー部材は、前記キャビティ内に配置され、
アセンブリが枢動中心周りで回転することを可能にする円筒状のロッカー枢動部、
枢動中心から前方へ延在するトーロッカーアーム、
前記枢動中心から後方へ延在するヒールロッカーアーム、および
前記クラブシャフトの遠位端を保持するために上部から前記ロッカー部材内へと延在する円筒状の穴を備え、
前記キャビティの限度により、前記ロッカー部材が、前記ロッカーアームと、最小および最大の角度限界での前記キャビティの前記限度との間の干渉によって規制される前記枢動中心周りでの単一面の回転を制限することを可能にし、
前記ライアジャスタが、前記ロッカーアームの干渉の規制範囲内で前記ゴルフクラブの打面に平行な面における前記ロッカー部材の回転位置の調節を容易にし、クラブのライ角度を確立するために最小角度限界と最大角度限界との間の所定位置に前記ロッカー部材の回転を堅固にロックする、調節可能なゴルフクラブ。
【請求項２】
ゴルフクラブシャフトおよびライアジャスタを備える調節可能なゴルフクラブであって、前記ゴルフクラブシャフトが、近位のグリップ、および１つまたは複数のロッカーアーム突出部を備えるロッカー部材に接続される遠位端を備え、前記ロッカー部材が前記ゴルフクラブの打面に平行な単一面においてキャビティ内を枢動中心周りで回転できるように、前記ロッカー部材は中空のクラブヘッド内部のキャビティ内で制限され、前記回転は規制された回転弧に制限され、この角度限界は、前記平面において枢動中心から外側に延在し、最小および最大の角度限界で前記キャビティの限度と干渉する前記ロッカーアーム突出部によって定められ、
前記ライアジャスタは、前記ロッカーアームの干渉の規制範囲内で前記ゴルフクラブの打面に平行な面における前記ロッカー部材の回転位置の調節を容易にし、クラブのライ角度を確立するために最小角度限界と最大角度限界との間の所定位置に前記ロッカー部材の回転を堅固にロックする、調節可能なゴルフクラブ。
【請求項３】
ゴルフクラブシャフトおよびクラブヘッドを備える調節可能なゴルフクラブであって、前記クラブヘッドは、中空本体と、保持板と、ロッカー部材と、ライアジャスタと、ロフトアジャスタとを備え、
前記中空本体が、開口を有するクラウンを備え、前記開口が前記クラウンに配置され、前記クラブシャフトの近位端が開口を通って突出可能であり、
前記保持板は、前記本体に取り付けられ、前記板の上面はキャビティの前記中空本体との下側境界限度を画定し、前記板の底面はソールを提供し、
前記ロッカー部材は、前記キャビティ内に配置され、
アセンブリが枢動中心周りで２軸に回転することを可能にする半球状のロッカー枢動部、
枢動中心から前方へ延在するトーロッカーアーム、
前記枢動中心から後方へ延在するヒールロッカーアーム、および
前記トーロッカーアームおよび前記ヒールロッカーアームと略垂直に、枢動中心から横方向に延在する一対の横方向ロッカーアーム、
前記クラブシャフトの遠位端を保持するために上部から前記ロッカー部材内へと延在する円筒状の穴を備え、
前記キャビティの限度により、前記ロッカー部材が、前記ロッカーアームと、前記キャビティの前記限度との間の干渉によって規制される前記枢動中心周りでの二平面の回転を制限することを可能にし、
前記ライアジャスタが、前記トーロッカーアームおよび前記ヒールロッカーアームの干渉の規制範囲内で前記ゴルフクラブの打面に平行な面における前記ロッカー部材の回転位置の調節を容易にし、クラブのライ角度を確立するためにフェース面に対して所定位置で前記ロッカー部材の回転をロックアジャスタし、
前記ロフトアジャスタが、前記横方向ロッカーアームの干渉の規制範囲内で前記ゴルフクラブの打面に垂直な面における前記ロッカー部材の回転位置の調節を容易にし、クラブのロフト角度を確立するために前記垂直面に対して所定位置で前記ロッカー部材の回転をロックする、調節可能なゴルフクラブ。
【請求項４】
ゴルフクラブシャフト、ライアジャスタおよびロフトアジャスタを備える調節可能なゴルフクラブであって、前記ゴルフクラブシャフトが、近位のグリップ、および２つまたは３つ以上のロッカーアーム突出部を備えるロッカー部材に接続される遠位端を備え、前記ロッカー部材が前記ゴルフクラブの打面に平行な第１の平面において枢動中心周りで、また打面に垂直な第２の平面において前記枢動中心周りでキャビティ内を回転できるように、前記ロッカー部材は中空のクラブヘッド内部のキャビティ内で制限され、フェース面の回転は、規制された回転弧に制限され、この角度限界は、前記第１の平面において前記枢動中心から外側に延在し、最小および最大のライ角度限界で前記キャビティの限度と干渉する前記ロッカーアーム突出部によって定められ、垂直面の回転は、規制された回転弧に制限され、この角度限界は、前記第２の平面において前記枢動中心から横方向に延在し、最小および最大のロフト角度限界で前記キャビティの限度と干渉する前記ロッカーアーム突出部によって定められ、
前記ライアジャスタが、前記トーロッカーアームおよび前記ヒールロッカーアームの干渉の規制範囲内で前記ゴルフクラブの打面に平行な面における前記ロッカー部材の回転位置の調節を容易にし、クラブのライ角度を確立するためにフェース面に対して所定位置で前記ロッカー部材の回転をロックし、
前記ロフトアジャスタが、前記横方向ロッカーアームの干渉の規制範囲内で前記ゴルフクラブの打面に垂直な面における前記ロッカー部材の回転位置の調節を容易にし、クラブのロフト角度を確立するために前記垂直面に対して所定位置で前記ロッカー部材の回転をロックする、調節可能なゴルフクラブ。
【請求項５】
前記本体がさらに、前記本体のクラブシャフト軸と鋭角を成す側で前記クラウンから下側に延在するヒール部分と、反対側において前記クラウンから下側に延在するトー部分とを備える請求項１記載の調節可能なゴルフクラブ。
【請求項６】
前記ライアジャスタがさらに、前記ロッカー枢動部におけるトルクを制限し、堅固な回転のロックを実施するために、前記ヒールロッカーの表面と接触するねじ込み式のセットスクリューを備えるヒールアジャスタと、前記トーロッカーの表面と接触するねじ込み式のセットスクリューを備えるトーアジャスタとを備える請求項１または２記載の調節可能なゴルフクラブ。
【請求項７】
前記最小の角度限界が１０度である請求項１〜４のいずれか１項に記載の調節可能なゴルフクラブ。
【請求項８】
前記最小の角度限界が２５度である請求項１〜４のいずれか１項に記載の調節可能なゴルフクラブ。
【請求項９】
前記最大の角度限界が２５度である請求項１〜４のいずれか１項に記載の調節可能なゴルフクラブ。
【請求項１０】
前記クラブヘッドがさらに、前記クラブヘッドの反対側に、前記打面に平行であり、前記クラブが左利きまたは右利きのスイングに用いることができるように配置される第２の打面をさらに備える請求項１〜４のいずれか１項に記載の調節可能なゴルフクラブ。
【請求項１１】
前記ライアジャスタがさらに、前記ロッカー枢動部におけるヒールおよびトーへのトルクを制限し、前記打面において堅固な回転のロックを実施するために、前記ヒールロッカーの表面と接触するねじ込み式のセットスクリューを備えるヒールアジャスタと、前記トーロッカーの表面と接触するねじ込み式のセットスクリューを備えるトーアジャスタとを備える請求項３記載の調節可能なゴルフクラブ。
【請求項１２】
前記ロフトアジャスタがさらに、前記ロッカー枢動部における横方向のトルクを制限し、前記垂直面における堅固な回転のロックを実施するために、前記横方向ロッカーアームの表面と接触するねじ込み式のセットスクリューを備える一対の横方向アジャスタを備える請求項３または４記載の調節可能なゴルフクラブ。
【請求項１３】
前記最小のクラブのロフト角度が０〜−１０度である請求項３または４記載の調節可能なゴルフクラブ。
【請求項１４】
前記最大のクラブのロフト角度が０〜１０度である請求項３または４記載の調節可能なゴルフクラブ。
【請求項１５】
請求項１〜１４のいずれか１項に記載の調節可能なゴルフクラブ。
【請求項１６】
実質的に添付の図面に関して以上に記載される請求項１〜４のいずれか１項に記載の調節可能なゴルフクラブ。
【発明の詳細な説明】
【技術分野】
【０００１】
［関連出願の相互参照］
本願は、２０１４年８月２８日に出願され、「Golf Patter with Constrained Adjustability」と題された米国非仮特許出願第１４／４７１，５３３号明細書に基づき、この出願の利益を主張し、その開示内容はすべて、この出願が開示および教示する全体を参照することによって本明細書に明確に含まれる。
【背景技術】
【０００２】
今日のゴルファー、とりわけ、全米ゴルフ協会（ＵＳＧＡ）の競技規則への厳守を要するトーナメントにおいて競合するプレイヤーにとって、角度が固定されたワンピースのゴルフクラブが標準的である。ＵＳＧＡは、共同でゴルフ規則（Rules of Golf）を施行し用具基準を確立して、世界中の試合に対する統制をもたらしている。より詳細には、ゴルフクラブ、特にパターに適用される用具基準は、サイズ、形状、角度、材料および使用方法（ストロークまたはスウィング）に関して詳細かつ厳格である。ゆえに、ほぼすべてのトーナメントのゴルファーのバッグにおいて、一定のパラメータのクラブが標準となっている。
【０００３】
ゴルフクラブは、ボールを打つために使用されるように設計された用具と定義づけられ、一般に、３つの形態、すなわち、形状および用途によって区別されるウッド、アイアンおよびパターの形態である。パターは、主にパッティンググリーン上での使用のために設計される、１０度を超えないロフトを備えるクラブである。パターはネガティブロフトを有してもよい。しかしながら、−１５度未満のロフトは、ＵＳＧＡによる「伝統と慣習に従った形状と構造」と見なされないだろう。また、クラブは、伝統と慣習に従った形状と構造と実質的に異なるものであってはならず、シャフトおよびヘッドから構成されなければならない。クラブが１つのユニットであるようにすべての部品は固定されなければならず、クラブの性能に影響を及ぼす外部の付属品を有してはならない。
【０００４】
これは、ゴルフクラブの部品はいずれも動くように設計されるべきでなく、また動くよう促されるべきでないことを意味すると理解される。それゆえ、仮にクラブのいずれかの部品が、移動する紛体、ペレット、液体、振動ワイヤー、ローラ、音叉（tuning forks）、または「移動部品」と見なされるおそれのある任意の数の他の機構を組み込む場合、これはこの規則の違反となるだろう。また、この規定は、いくつか例外はあるものの、組み立てられると、緩めるためには加熱を要するようにすべての部品が接合されることを意味すると解釈される。もちろん、これは許可された調節可能な機構を備えるクラブには適用されない。
【０００５】
以下の要件は、典型的には、クラブにおけるすべての許容可能な調節方法に適用される。（ｉ）容易に調節できるものでないこと、（ｉｉ）調節可能部分はすべてしっかりと固定され、ラウンド中に緩むことの合理的な可能性がないこと、および（ｉｉｉ）調節のすべての形状がＵＳＧＡの規則に適合すること。正規のラウンド中、クラブの競技特性は、調節または他の任意の手段によって故意に変更されてはならない。
【０００６】
この規則の完全性を保持するために、規則は、正規のラウンドのコース中にプレイヤーが調節を行うことがあまりにも容易であってはならないと明記している。これは調節が、アレンキーまたはフィリップスネジに使用するドライバーなどの特別な道具や、カスタムメイドの道具または装置の使用を必要としなければならないことを意味すると解釈される。単に、指や、硬貨またはピッチマーク修復ツールなどのゴルファーのポケットに普通に保管される他のいくつかの物を用いることによって調節を行うことが可能であってはならない。以上の制約は、プレイヤーに、クラブに対するすべての必要な調節をラウンド前に行うことを促すために、また、プレイヤーを、ラウンド中に無意識または意図的に調節を行うことから保護するために、規則に含まれてきた。
【発明の概要】
【０００７】
本発明の実施形態は、それゆえ、ゴルフクラブシャフトおよびクラブヘッドを備える調節可能なゴルフクラブを含んでもよく、クラブヘッドは、中空本体と、保持板と、ロッカー部材と、ライアジャスタとを備え、中空本体は、本体の底面がキャビティの中空本体との上側境界線領域を画定し、本体の上面は、開口を有するクラウンを提供し、開口がクラウンに配置され、クラブシャフトの近位端が開口を通って突出可能であり、保持板は、本体に取り付けられ、板の上面はキャビティの中空本体との下側境界限度を画定し、板の底面はソールを提供し、ロッカー部材は、キャビティ内に配置され、アセンブリが枢動中心周りで回転することを可能にする円筒状のロッカー枢動部、枢動中心から前方へ延在するトーロッカーアーム、枢動中心から後方へ延在するヒールロッカーアーム、およびクラブシャフトの遠位端を保持するために上部からロッカー部材内へと延在する円筒状の穴を備え、キャビティの限度により、ロッカー部材が、ロッカーアームと、最大および最小の角度限界でのキャビティの限度との間の干渉によって規制される枢動中心周りでの単一面の回転を制限することを可能にし、ライアジャスタが、ロッカーアームの干渉の規制範囲内でゴルフクラブの打面に平行な面におけるロッカー部材の回転位置の調節を容易にし、最小角度限界と最大角度限界との間の所定位置にロッカー部材の回転を堅固にロックする。
【０００８】
また本発明の実施形態は、ゴルフクラブシャフトおよびライアジャスタを備える調節可能なゴルフクラブであって、ゴルフクラブシャフトが、近位のグリップ、および１つまたは複数のロッカーアーム突出部を備えるロッカー部材に接続される遠位端を備え、ロッカー部材がゴルフクラブの打面に平行な単一面においてキャビティ内を枢動中心周りで回転できるように、ロッカー部材は中空のクラブヘッド内部のキャビティ内で制限され、この回転は規制された回転弧に制限され、この角度限界は、平面において枢動中心から外側に延在し、最小および最大の角度限界でキャビティの限度と干渉するロッカーアーム突出部によって定められ、ライアジャスタは、ロッカーアームの干渉の規制範囲内でゴルフクラブの打面に平行な面におけるロッカー部材の回転位置の調節を容易にし、最小角度限界と最大角度限界との間の所定位置にロッカー部材の回転を堅固にロックする、調節可能なゴルフクラブを含んでもよい。
【０００９】
また本発明の実施形態は、ゴルフクラブシャフトおよびクラブヘッドを備える調節可能なゴルフクラブを含んでもよく、クラブヘッドは、中空本体と、保持板と、ロッカー部材と、ライアジャスタと、ロフトアジャスタとを備え、中空本体が、開口を有するクラウンを備え、開口がクラウンに配置され、クラブシャフトの近位端が開口を通って突出可能であり、保持板は、本体に取り付けられ、板の上面はキャビティの中空本体との下側境界限度を画定し、板の底面はソールを提供し、ロッカー部材は、キャビティ内に配置され、アセンブリが枢動中心周りで２軸に回転することを可能にする半球状のロッカー枢動部、枢動中心から前方へ延在するトーロッカーアーム、枢動中心から後方へ延在するヒールロッカーアーム、および、トーロッカーアームおよびヒールロッカーアームと略垂直に、枢動中心から横方向に延在する一対の横方向ロッカーアーム、クラブシャフトの遠位端を保持するために上部からロッカー部材内へと延在する円筒状の穴を備え、キャビティの限度により、ロッカー部材が、ロッカーアームと、キャビティの限度との間の干渉によって規制される枢動中心周りでの二平面の回転を制限することを可能にし、ライアジャスタが、トーロッカーアームおよびヒールロッカーアームの干渉の規制範囲内でゴルフクラブの打面に平行な面におけるロッカー部材の回転位置の調節を容易にし、フェース面に対して所定位置でロッカー部材の回転をロックし、ロフトアジャスタが、横方向ロッカーアームの干渉の規制範囲内でゴルフクラブの打面に垂直な面におけるロッカー部材の回転位置の調節を容易にし、この垂直面に対して所定位置でロッカー部材の回転をロックする。
【００１０】
また本発明の実施形態は、ゴルフクラブシャフト、ライアジャスタおよびロフトアジャスタを備える調節可能なゴルフクラブであって、ゴルフクラブシャフトが、近位のグリップ、および２つまたは３つ以上のロッカーアーム突出部を備えるロッカー部材に接続される遠位端を備え、ロッカー部材がゴルフクラブの打面に平行な第１の平面において枢動中心周りで、また打面に垂直な第２の平面において枢動中心周りでキャビティ内を回転できるように、ロッカー部材は中空のクラブヘッド内部のキャビティ内で制限され、フェース面の回転は、規制された回転弧に制限され、この角度限界は、打面において枢動中心から外側に延在し、最小および最大のライ角度限界でキャビティの限度と干渉するロッカーアーム突出部によって定められ、垂直面の回転は、規制された回転弧に制限され、この角度限界は、枢動中心から横方向および打面に垂直に延在し、最小および最大のロフト角度限界でキャビティの限度と干渉するロッカーアーム突出部によって定められ、ライアジャスタが、トーロッカーアームおよびヒールロッカーアームの干渉の規制範囲内でゴルフクラブの打面に平行な面におけるロッカー部材の回転位置の調節を容易にし、フェース面に対して所定位置でロッカー部材の回転をロックし、ロフトアジャスタが、横方向ロッカーアームの干渉の規制範囲内でゴルフクラブの打面に垂直な面におけるロッカー部材の回転位置の調節を容易にし、垂直面に対して所定位置でロッカー部材の回転をロックする、調節可能なゴルフクラブを含んでもよい。
【００１１】
また本発明の実施形態は、ゴルフクラブのライ角度を調節する方法を含んでいてもよく、方法は、近位のグリップを有するゴルフクラブシャフトの遠位端を１つまたは複数のロッカーアーム突出部を備えるロッカー部材に固定するステップと、ロッカー部材がゴルフクラブのキャビティ内で枢動中心周りを回転できるように、ロッカー部材を中空のクラブヘッド内部のキャビティ内に制限するステップと、平面において枢動中心から外側に延在し、最小および最大の角度限界でキャビティの限度と干渉するロッカーアーム突出部によって定められる角度限界の範囲内の規制された回転孤に回転を制限するステップと、ロッカーアームの干渉の規制範囲内でロッカー部材を位置づけることによってクラブヘッドに対するシャフトの角度を調節するステップと、最小および最大の角度限界の間の所定位置でロッカー部材の回転を堅固に固定するステップとを含む。
【図面の簡単な説明】
【００１２】
【図１】ゴルフパターのシャフト角度を測定する標準的な方法を示す図である。
【図２】シャフト角度の規制された単軸調節性を有するゴルフパターの実施形態を示す図である。
【図３】ゴルフパターのシャフト角度の規制された単軸調節性を容易にする部材の実施形態を示す図である。
【図４】ゴルフパターのシャフト角度の単軸調節性を容易にする部材の規制された調節角度を示す図である。
【図５】ゴルフパターのシャフト角度の単軸調節性に対する最大のシャフト角度規制を示す図である。
【図６】ゴルフパターのシャフト角度の単軸調節性に対する最小のシャフト角度規制を示す図である。
【図７】シャフト角度の規制された単軸調節性を有するゴルフパターの実施形態に関連する構造を示す図である。
【図８】シャフト角度の規制された単軸調節性を容易にする微調節機構の実施形態を示す図である。
【図９】シャフト角度の規制された単軸調節性を容易にする調節機構を示す図８の実施形態の底面図である。
【図１０】規制された２軸調節性を有するゴルフパターの実施形態を示す図である。
【図１１】規制された２軸調節性を容易にする調節機構を示す図１０の実施形態の底面図である。
【発明を実施するための形態】
【００１３】
本発明は多くの異なる形態の実施形態が可能であるが、本開示は本発明の原理の例示と考えられ、記載される特定の実施形態に制限されないという理解のもと、本発明の特定の実施形態が図面に示され、本明細書で詳細に説明される。
【００１４】
開示される装置は、ロフトおよび／またはライにおいて調節可能なヘッドを提供し、依然として現行および提案されるＵＳＧＡ規則に適合するので、トーナメント競技において利用できるパターを提示することによって、従来の制限を克服する。開示されるパターは、特定の固有制限によって詳細なＧＳＧＡ規則の許容範囲内の可変な調節を提供し、これらの特定の制限外では調節できない。許容される調節は容易には行えず、すべての調節可能な部品はしっかりと固定され、これらがゴルフのラウンド中に緩む合理的な可能性は存在しない。本明細書に図示および記載されるように、開示されるパタークラブへの調節は、クラブの競技特性がラウンド中に意図的に変更されることを許可しない。ゆえに、開示される実施形態により、プレイヤーは、クラブの調節可能な設計特性にかかわらず、ラウンド中にクラブを意図的に変更することができない。
【００１５】
図１は、ゴルフパターのシャフト角度を測定する標準的な方法を図示し、さらに「通常のアドレス位置」を図示し、水平面１３４および垂直面１３２それぞれに対するクラブヘッド１００の形状によって決定されるシャフト角度Ａ１３６またはライの決定を示す。図１に示されるように、クラブヘッド１００は、水平の平らな表面上に配置され、ソール１１０は、パター本体１０４のフェースの中心の真下にある点でその表面に接触している。シャフト角度Ａ１３６は、上述のヒール１０６とトー１０８との間に配置される分度器１３３を利用して、この位置のクラブヘッド１００を用いて測定される。シャフト１０２のシャフト軸１３０は、垂直面１３２に対して測定される。
【００１６】
図２は、シャフト角度の規制された単軸調節性を有するゴルフパターの実施形態を示す。矢状中心断面図に示されるように、パタークラブヘッド１００の本体１０４は、シャフト軸１３０が垂直面１３２に対して角度Ａで配置された状態で配向されるゴルフクラブシャフト１０２に取り付けられる。この実施形態において、シャフトはその遠位端で、シャフト受け取り穴１１７を利用してロッカー１１５に堅固に接続され、開口１１３を通って本体１０４を通して突出する。ロッカー１１５部材は、この実施形態においては、その下側にロッカー枢動部１２０を備え、また、前方（トー１０８に向かって）および後方（ヒール１０６に向かって）延在する一対のロッカーアームを備え、調節中のトルクを促進するため、およびロック（競技）位置に固定またはセットされるとトルクを防止するために、カンチレバーまたはレバーアームとして利用され得る。ロッカー枢動部１２０は、アセンブリが枢動点（枢動中心１３８）周りで回転することを可能にする略円筒状の形状（図示）を有するので、垂直軸に対するシャフト軸１３０の単一動作面での調節性を可能にする。ロッカー１１５は、内部で、またキャビティ１１４の上面にある本体１０４と下側のロッカー枢動面上の保持板１１１との間で挟持される。
【００１７】
ロッカー１１５は、前方（ヒール１０６）および後方（トー１０８）に延在する一対のロッカーアーム１０６、１０８によってその回転限界内に規制される。シャフト角度Ａを減少させるためには、枢動ロッカー１２０は、枢動中心１３８周りで（図２に対して）時計回りで回転され、トーロッカーアーム１１８はソール１１０に向かって移動する一方で、ヒールロッカーアームはクラウン１１２に向かって回転する。枢動ロッカー１２０の回転限界は、ロッカーアーム１１６、１１８の内部形状、ロッカー１１５の中心コアからの突出、およびロッカーアームのキャビティ１１４における本体１０４の内側表面との接続部によって定められる。図２に見られ、図６にさらに明示されるように、最小のシャフト角度Ａは、ヒールロッカーアーム１１６がキャビティ１１４の内側上面（またはロッカーアームのさらなる動作を防ぐと理解され得る他の任意の堅固な表面）に当接したときに達成され、さらなる動作が制限される。
【００１８】
同様に、図５にさらに明示されるように、最大のシャフト角度Ａは、トーロッカーアーム１１８がキャビティ１１４の内側上面（またはロッカーアームのさらなる動作を防ぐと理解され得る他の任意の堅固な表面）に当接したときに達成され、さらなる動作が制限される。ゆえに最小および最大のシャフト角度Ａは、これらの限界内での完全な可変性を可能にしつつ、これらの内部形状を確立することによって堅固に設定され得る。明確な限界内でのシャフト角度Ａの可変性は調節機構によって容易にされ、この実施形態においては、２つの調節用のセットスクリュー（ボルト）の形状をとっている。トーアジャスタ１２４およびヒールアジャスタ１２２、この実施形態においては一対の六角頭のセットスクリュー、の位置を調節することによって、（特定の最小および最大限界内での）正確なシャフト角度Ａが特定のクラブのユーザに対して設定され得る。
【００１９】
図３は、ロッカー１１５アセンブリ内で規制されるゴルフパターシャフト１０２の、シャフト角度の規制された単軸調節性を容易にする部材の実施形態を示す。矢状中心断面図に示されるように、シャフトは、溶接、圧入、ねじ込み、接合など、任意の方法でロッカー１１５に固定され得る。図３に示されるように、シャフト角度Ａ１３６は、垂直面１３２から測定され、反対の角度Ａ’はこの角度の逆であり、シャフト１０２から地面または水平面１３４までの角度を測定する。
【００２０】
上述のように、枢動ロッカー１２０の回転限界（規制された調節性）は、ロッカーアーム１１６、１１８の内部形状、ならびにこれらのキャビティ１１４の内面との接続部によって定められる。図４は、ゴルフパターのシャフト角度の単軸調節性を促進する部材の規制された調節角度を示す。この例において、ヒールロッカーアーム１１６の上面は、水平１３４から角度Ｂだけオフセットしている。同様に、ロッカーアーム１１８の上面は、水平１３４から角度Ｂ’だけオフセットしている。また、ロッカーアーム１１６、１１８の下面は、水平１３４からそれぞれ角度Ｃおよび角度Ｃ’だけオフセットしている。この実施形態において、これらのオフセット角度は、パターシャフト１０２の調節に対する最小および最大角度を設定する。このようにして、滑らかで制限されない調節が、固定された規制範囲内で可能である。
【００２１】
たとえば、ＢおよびＢ’は、中心設定地点から等しい境界を提供する同一の角度であってもよいし、中心点の周りに固有の境界角度を提供する異なる角度であってもよい。角度ＢおよびＢ’は、枢動中心周りのロッカー１１５の回転を制限するためにキャビティ１１４の上面を利用できる一方で、角度ＣおよびＣ’は、ロッカー１１５を所定位置に固定するためにアジャスタ１２２、１２４の最上面を利用できる。
【００２２】
図５は、ゴルフパターのシャフト角度の単軸調節性についての最大のシャフト角度限界を示す。上述のように、パターアセンブリに対して可能な最大許容角度ＡMaxは、ロッカー１１５が、Ｂ’がほぼゼロとなる点まで回転し、トーロッカーアーム１１８がキャビティ１１４の上側の内面に接触するときに達成される。この状態は図５に示され、最大にされた距離Ｄ1およびＤ2を示す。反対に、図６は、ゴルフパターのシャフト角度の単軸調節性についての最小のシャフト角度限界を示す。パターアセンブリに対して可能な最小許容角度ＡMinは、Ｂがほぼゼロとなる点まで回転し、ヒールロッカーアーム１１６の上面がキャビティ１１４の上側の内面に接触するときに達成される。この状態は図６に示され、最大にされた距離Ｄ3およびＤ4を示す。
【００２３】
クラブヘッド１００の形状によって決定された最小および最大のシャフト角度を用いて、またこれらの角度がＵＳＧＡ規則の範囲内にあると想定すると、クラブをユーザの個々の人体測定へとクラブを合わせる微調節は、ＵＳＧＡのトーナメント競技に合法な調節可能なクラブを容易にする。図７は、シャフト角度の規制された単軸調節性を有するゴルフパターの実施形態に関連する構造を示す図である。図７に示されるように、クラブの特定の特徴は、個別のユーザに合わせられ得る。シャフト角度Ａに対するわずかな変更により、グリップ１４０のグリップ点からクラブヘッド１００までのクラブグリップの高さＨおよび距離Ｗは容易に変更され得る。シャフトの長さにおける変更可能性と共に、これは、様々なスイングおよびグリップ位置で用いることができ、固定されないパットストロークに対する快適かつ正確な調節を簡単に促進するクラブを提供する。
【００２４】
ゆえに、背の低いまたは小柄な人は、クラブヘッド１００のソールをパッティンググリーンの表面に対して平らに（水平面１３４に対して平行に）保つために、より大きなシャフト角度１３６を望む可能性がある一方で、背の高い人や、ロングスタイルのパターを用いる人は、クラブヘッド１００のソールをパッティンググリーンに対して平らに保つために、小さなシャフト角度１３６を望む可能性がある。いずれの例においても、開示される実施形態は、形状の制限内で最大の調節性を提供し、より詳細には、ＵＳＧＡ規則内でこの最大の調節を提供するように合わせられ得る。
【００２５】
図８は、ＡMaxおよびＡMinという所定の制限内の、シャフト角度の規制された単軸調節性を容易にする微調節機構を示す。図８に示されるように、ロッカー１１５は、キャビティ１１４の上面によって上側の境界で規制され、図示されるショルダネジ１２５などの従来の取り付け手段や、ネジなどの他の任意の適切な締結手段によって本体１０４に取り外し可能に取り付けられる保持板１１１によって、下側の境界で規制される。上側および下側の境界で規制されると、ロッカー１１５は、キャビティ１１４の境界内で中心枢動部１３８周りを自由に回転できるだけである。この実施形態においては、ロッカーアーム１１６、１１８がアジャスタ１２２、１２４および／またはキャビティ１１４の上面に接触するので、ロッカーアーム１１６、１１８によって規制される。個人にとって理想のシャフト角度Ａが決定されると、ロッカー１１５が所定位置に堅固に保持されるようにヒールの深さおよび／またはアジャスタ１２２、１２４を設定することによってこの角度が設定される。
【００２６】
図９は、シャフト角度の規制された単軸調節性を容易にする調節機構を示す図８の底面図である。図９に詳細に示されるように、図示されるパターの実施形態は対称であり、左利きまたは右利きのクラブとして利用される能力を有し、図示されるパッティングフェース１０５は右利きのクラブとして用いられ、図示されるパッティングフェース１０７は左利きのクラブとして用いられる。図示されるように、ロッカー１１５は、キャビティ１１４内で規制され、４つの保持用のショルダネジ１２５によって本体１０４に取り付けられる保持板１１１によって所定位置に保持される。所定位置に取り付けられた保持板１１１により、ロッカー１１５はその枢動中心１３８周りで回転することによってのみ移動するように規制され、ロッカーアーム１１６、１１８によってこの回転に制限される。このロッカー１１５の回転の規制された調節性は、ヒールおよびトーのアジャスタ１２２、１２４の位置を設定することによって、ユーザに対して決定された位置に固定される。
【００２７】
図１０は、２軸の独立した、規制された調節性を有するゴルフパターのクラブヘッド２００の実施形態を示す。断面前面図に示されるように、この実施形態は、クラブのパッティングフェース１０５、１０７と垂直面１３２との間の角度であるロフト角度Ｆの規制された調節性を有するゴルフパターを例示し、この角度は、クラブのソール１１０の平行線２１０から水平面１３４までの角度Ｅとしても測定され得る。クラブによって当てられたときのゴルフボールの軌道の主要な決定因子はロフトであり、パタークラブにおいては典型的にはほとんどゼロである。
【００２８】
２軸のロッカー２１５は、上述の実施形態と同様に、保持板２１３によって保持され、キャビティ１１４内を枢動するが、図１０のロッカー枢動部２２０は、円筒状の枢動部ではなく、半球状の突出部を含むので、規制された調節に付加的な自由度を可能にする。これは、ロフト角度Ｆがシャフト角度Ａと同様の方法で調節されることを可能にする。図示されるように、２軸のロッカー２１５は、この実施形態においては六角頭のネジ調節部１４８、１５０を用いて最小および最大の調節性の規制範囲内で正確に設定される２つの付加的なロッカーアーム２１６、２１８を備える。ゆえに詳述される実施形態において、ロフト（角度Ｆ）およびライ（シャフト角度Ａと理解される）はそれぞれ、現行および提案されるＵＳＧＡ規則に適合しつつ、個々の人体測定および特定のユーザのスイング特徴に合うように規制範囲内で容易に調節される。図示されるように、図１０の実施形態は、右利きまたは左利きのスイングに対して使用および調節されてもよく、ライ角度に関する調節を含んでいてもよいし含んでいなくてもよい。
【００２９】
図１１は、クラブヘッド２００に対する独立した規制された２軸調節性を容易にする調節機構を示す実施形態の底面図である。この実施形態に例示されるように、クラブのライおよびロフトは、それぞれ特定の限界内に規制され、微調節が調節ネジを用いてこれらの限界内で行われる。ロフト角度Ｆは、ロフトアジャスタのネジ１４８、１５０を利用してロフトロッカーアーム１４４、１４６を調節および位置決めすることによって設定される一方で、ライ（シャフト角度Ａと理解される）は、ヒールおよびトーアジャスタ１２２、１２４の調節ネジを利用してヒールおよびトーのロッカーアーム１１６、１１８を調節および位置決めすることによって設定される。保持板２１１は、４つの保持固定具（この実施形態においては、六角頭のショルダネジ）によって本体１０４に固定される。
【００３０】
トーおよびヒールを通る垂直面１３２上へのシャフト１０２の直線部分が、クラブがその通常のアドレス位置にあるときに、垂直（最小のシャフト角度ＡMin）から少なくとも５度、少なくとも１０度、少なくとも２５度、または少なくとも１０〜２５度、少なくとも０〜４５度など、所定量だけ逸れるように、たとえば、図２に示されるクラブヘッド１００は、キャビティ１１４に対するロッカーアーム１１６、１１８の長さおよび形状が限られたクリアランスを許容するように製造されてもよい。同様に、トーおよびヒールを通る垂直面１３２上へのシャフト１０２の直線部分が、クラブがその通常のアドレス位置にあるときに、垂直（最大のシャフト角度ＡMax）から５度以下、１０度以下、２５度以下、または１０〜２５度以下、０〜４５度以下など、所定量だけ逸れるような限られたクリアランスがある。
【００３１】
別の例として、図１０に示されるクラブヘッド２００は、キャビティ１１４に対するロッカーアーム２１６、２１８の長さおよび形状が、垂直面１３２に対するパッティングフェース１０５または１０７の角度Ｆが所定量を超えてまたは所定量未満では垂直から逸れないような限られたクリアランスを許容する。このような正のロフトの例としては、＋３度、＋５度、＋１０度、または０〜＋５度、０〜＋１０度のロフトが挙げられるがこれらに限定されず、パターのロフトは、クラブがその通常のアドレス位置にあるときに＋１０度を超えないような任意の角度を有し得る。同様に、クラブヘッド２００は、負のロフトを有するように調節されてもよく、その例としては、−３度、−５度、−１０度、または０〜−５度、０〜−１０度のロフトが挙げられるがこれらに限定されず、パターのロフトは、クラブがその通常のアドレス位置にあるときに−１０度を超えないような任意の角度を有し得る。
【００３２】
本発明の上述の記載は、例示および説明の目的で提示されている。網羅的なものであることや、開示される詳細な形態に制限されることは意図されておらず、他の修正および変更は、上述の教示に照らして可能であり得る。実施形態は、本発明の原理およびその実際の適用を最良に説明するために選択および説明されるので、他の当業者が、様々な実施形態および予期される特定に用途に合わせられる様々な修正において本発明を最良に利用することを可能にする。添付される特許請求の範囲は、先行技術によって制限される場合を除いて、本発明の他の代替的な実施形態を含むと理解されることを意図される。
【図１】
2017525547.tif 000003
【図２】
2017525547.tif 000004
【図３】
2017525547.tif 000005
【図４】
2017525547.tif 000006
【図５】
2017525547.tif 000007
【図６】
2017525547.tif 000008
【図７】
2017525547.tif 000009
【図８】
2017525547.tif 000010
【図９】
2017525547.tif 000011
【図１０】
2017525547.tif 000012
【図１１】
2017525547.tif 000013
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
ゴルフクラブシャフトおよびクラブヘッドを備える調節可能なゴルフクラブであって、
前記クラブヘッドは、中空本体と、保持板と、ロッカー部材と、ライアジャスタとを備え、
前記中空本体は、前記中空本体の底面がキャビティの前記中空本体との下側境界限度を画定し、前記中空本体の上面は、上側境界限度を画定し、開口を有するクラウンを提供し、前記開口が前記クラウンに配置され、前記クラブシャフトの近位端が開口を通って突出可能であり、
前記保持板は、前記中空本体に取り付けられ、前記保持板の上面は前記キャビティの前記中空本体との下側境界限度を画定し、前記保持板の底面はソールを提供し、
前記ロッカー部材は、前記キャビティ内に配置され、
前記ロッカー部材が枢動中心周りで回転することを可能にする円筒状のロッカー枢動部、
前記枢動中心から前方へ延在するトーロッカーアーム、
前記枢動中心から後方へ延在するヒールロッカーアーム、および
前記クラブシャフトの遠位端を保持するために上部から前記ロッカー部材内へと延在する円筒状の穴を備え、
前記キャビティの前記上側境界限度および前記下側境界限度により、前記ロッカー部材が、前記ロッカーアームと、最小および最大の角度限界での前記キャビティの前記前記上側境界限度および前記下側境界限度との間の干渉によって規制される前記枢動中心周りでの単一面の回転を制限することを可能にし、
前記ライアジャスタが、前記ロッカーアームの干渉の規制範囲内で前記ゴルフクラブの打面に平行な面における前記ロッカー部材の回転位置の調節を容易にし、クラブのライ角度を確立するために最小角度限界と最大角度限界との間の所定位置に前記ロッカー部材の回転を堅固にロックする、調節可能なゴルフクラブ。
【請求項２】
ゴルフクラブシャフトおよびライアジャスタを備える調節可能なゴルフクラブであって、前記ゴルフクラブシャフトが、近位のグリップ、および１つまたは複数のロッカーアーム突出部を備えるロッカー部材に接続される遠位端を備え、前記ロッカー部材が前記ゴルフクラブの打面に平行な単一面においてキャビティ内を枢動中心周りで回転できるように、前記ロッカー部材は中空のクラブヘッド内部のキャビティ内で制限され、前記回転は規制された回転弧に制限され、この角度限界は、前記平面において枢動中心から外側に延在し、最小および最大の角度限界で前記キャビティの前記上側境界限度および前記下側境界限度と干渉する前記ロッカーアーム突出部によって定められ、
前記ライアジャスタは、前記ロッカーアームの干渉の規制範囲内で前記ゴルフクラブの打面に平行な面における前記ロッカー部材の回転位置の調節を容易にし、クラブのライ角度を確立するために最小角度限界と最大角度限界との間の所定位置に前記ロッカー部材の回転を堅固にロックする、調節可能なゴルフクラブ。
【請求項３】
ゴルフクラブシャフトおよびクラブヘッドを備える調節可能なゴルフクラブであって、前記クラブヘッドは、中空本体と、保持板と、ロッカー部材と、ライアジャスタと、ロフトアジャスタとを備え、
前記中空本体が、開口を有するクラウンを備え、前記開口が前記クラウンに配置され、前記クラブシャフトの近位端が開口を通って突出可能であり、前記クラウンはキャビティの前記中空本体との上側境界限度を画定し、
前記保持板は、前記中空本体に取り付けられ、前記保持板の上面はキャビティの前記中空本体との下側境界限度を画定し、前記保持板の底面はソールを提供し、
前記ロッカー部材は、前記キャビティ内に配置され、
前記ロッカー部材が枢動中心周りで２軸に回転することを可能にする半球状のロッカー枢動部、
前記枢動中心から前方へ延在するトーロッカーアーム、
前記枢動中心から後方へ延在するヒールロッカーアーム、および
前記トーロッカーアームおよび前記ヒールロッカーアームと略垂直に、前記枢動中心から横方向に延在する一対の横方向ロッカーアーム、
前記クラブシャフトの遠位端を保持するために上部から前記ロッカー部材内へと延在する円筒状の穴を備え、
前記キャビティの前記上側境界限度および前記下側境界限度により、前記ロッカー部材が、前記ロッカーアームと、前記キャビティの前記前記上側境界限度および前記下側境界限度との間の干渉によって規制される前記枢動中心周りでの二平面の回転を制限することを可能にし、
前記ライアジャスタが、前記トーロッカーアームおよび前記ヒールロッカーアームの干渉の規制範囲内で前記ゴルフクラブの打面に平行な面における前記ロッカー部材の回転位置の調節を容易にし、クラブのライ角度を確立するためにフェース面に対して所定位置で前記ロッカー部材の回転をロックアジャスタし、
前記ロフトアジャスタが、前記横方向ロッカーアームの干渉の規制範囲内で前記ゴルフクラブの打面に垂直な面における前記ロッカー部材の回転位置の調節を容易にし、クラブのロフト角度を確立するために前記垂直面に対して所定位置で前記ロッカー部材の回転をロックする、調節可能なゴルフクラブ。
【請求項４】
ゴルフクラブシャフト、ライアジャスタおよびロフトアジャスタを備える調節可能なゴルフクラブであって、前記ゴルフクラブシャフトが、近位のグリップ、および２つまたは３つ以上のロッカーアーム突出部を備えるロッカー部材に接続される遠位端を備え、前記ロッカー部材が前記ゴルフクラブの打面に平行な第１の平面において枢動中心周りで、また打面に垂直な第２の平面において前記枢動中心周りでキャビティ内を回転できるように、前記ロッカー部材は中空のクラブヘッド内部のキャビティ内で制限され、フェース面の回転は、規制された回転弧に制限され、この角度限界は、前記第１の平面において前記枢動中心から外側に延在し、最小および最大のライ角度限界で前記キャビティの前記上側境界限度および前記下側境界限度と干渉する前記ロッカーアーム突出部によって定められ、垂直面の回転は、規制された回転弧に制限され、この角度限界は、前記第２の平面において前記枢動中心から横方向に延在し、最小および最大のロフト角度限界で前記キャビティの前記上側境界限度および前記下側境界限度と干渉する前記ロッカーアーム突出部によって定められ、
前記ライアジャスタが、前記トーロッカーアームおよび前記ヒールロッカーアームの干渉の規制範囲内で前記ゴルフクラブの打面に平行な面における前記ロッカー部材の回転位置の調節を容易にし、クラブのライ角度を確立するためにフェース面に対して所定位置で前記ロッカー部材の回転をロックし、
前記ロフトアジャスタが、前記横方向ロッカーアームの干渉の規制範囲内で前記ゴルフクラブの打面に垂直な面における前記ロッカー部材の回転位置の調節を容易にし、クラブのロフト角度を確立するために前記垂直面に対して所定位置で前記ロッカー部材の回転をロックする、調節可能なゴルフクラブ。
【請求項５】
前記中空本体がさらに、前記中空本体のクラブシャフト軸と鋭角を成す側で前記クラウンから下側に延在するヒール部分と、反対側において前記クラウンから下側に延在するトー部分とを備える請求項１記載の調節可能なゴルフクラブ。
【請求項６】
前記ライアジャスタがさらに、前記ロッカー枢動部におけるトルクを制限し、堅固な回転のロックを実施するために、前記ヒールロッカーの表面と接触するねじ込み式のセットスクリューを備えるヒールアジャスタと、前記トーロッカーの表面と接触するねじ込み式のセットスクリューを備えるトーアジャスタとを備える請求項１または２記載の調節可能なゴルフクラブ。
【請求項７】
前記最小の角度限界が１０度である請求項１〜４のいずれか１項に記載の調節可能なゴルフクラブ。
【請求項８】
前記最小の角度限界が２５度である請求項１〜４のいずれか１項に記載の調節可能なゴルフクラブ。
【請求項９】
前記最大の角度限界が２５度である請求項１〜４のいずれか１項に記載の調節可能なゴルフクラブ。
【請求項１０】
前記クラブヘッドがさらに、前記クラブヘッドの反対側に、前記打面に平行であり、前記クラブが左利きまたは右利きのスイングに用いることができるように配置される第２の打面をさらに備える請求項１〜４のいずれか１項に記載の調節可能なゴルフクラブ。
【請求項１１】
前記ライアジャスタがさらに、前記ロッカー枢動部におけるヒールおよびトーへのトルクを制限し、前記打面において堅固な回転のロックを実施するために、前記ヒールロッカーの表面と接触するねじ込み式のセットスクリューを備えるヒールアジャスタと、前記トーロッカーの表面と接触するねじ込み式のセットスクリューを備えるトーアジャスタとを備える請求項３記載の調節可能なゴルフクラブ。
【請求項１２】
前記ロフトアジャスタがさらに、前記ロッカー枢動部における横方向のトルクを制限し、前記垂直面における堅固な回転のロックを実施するために、前記横方向ロッカーアームの表面と接触するねじ込み式のセットスクリューを備える一対の横方向アジャスタを備える請求項３または４記載の調節可能なゴルフクラブ。
【請求項１３】
前記最小のクラブのロフト角度が０〜−１０度である請求項３または４記載の調節可能なゴルフクラブ。
【請求項１４】
前記最大のクラブのロフト角度が０〜１０度である請求項３または４記載の調節可能なゴルフクラブ。
【国際調査報告】
2017525547.tif 000014
2017525547.tif 000015